(57)【特許請求の範囲】
【請求項１】
複数の測光領域に分割された被写界を測光し、前記複数の測光領域の受光量に応じた測光データをそれぞれ出力する測光センサと、
撮影レンズを透過してピント板で結像した光を、前記撮影レンズの光軸外に設けられた前記測光センサに導く測光光学系と、
前記撮影レンズに固有の開放Ｆ値及び射出瞳位置に応じて補正値を算出する補正演算回路と、
前記測光データ及び前記補正値から補正後の測光データを算出する測光演算回路と、
を有するレンズ交換式カメラの測光装置において、
前記補正値を算出する補正演算式は第１の補正式及び第２の補正式からなり、前記各補正式はそれぞれ距離の関数部分と係数部分との積であり、前記各係数部分は前記撮影レンズに固有の開放Ｆ値により異なることを特徴とするレンズ交換式カメラの測光装置。
【請求項２】
前記撮影レンズに固有の開放Ｆ値をＦ、固有の射出瞳位置をＰとしたとき、前記第１の補正式における係数部分及び前記第２の補正式における係数部分はそれぞれＦ／Ｐの多項式関数であり、
前記各多項式関数は、複数の前記撮影レンズにおいて、前記撮影レンズと前記測光光学系とから算出される第１の補正係数とＦ／Ｐとのプロットから算出した近似式、及び、前記撮影レンズと前記測光光学系とから算出される第２の補正係数とＦ／Ｐとのプロットから算出した近似式であることを特徴とする請求項１に記載のレンズ交換式カメラの測光装置。
【請求項３】
前記第１の補正式における距離の関数部分は、前記測光センサ面における同心円状の光量ムラの中心である補正原点からの距離の関数であり、前記第２の補正式における距離の関数部分は、前記測光センサ面における短辺方向の距離の関数であり、
前記補正原点の位置は、前記撮影レンズに固有の開放Ｆ値により、少なくとも２つ以上に場合分けすることを特徴とする請求項１又は２に記載のレンズ交換式カメラの測光装置。
【請求項４】
前記補正原点は、前記撮影レンズの開放Ｆ値に応じて前記測光センサ面の短辺方向に移動することを特徴とする請求項３に記載のレンズ交換式カメラの測光装置。
【請求項５】
前記補正原点は、前記撮影レンズの開放Ｆ値が小さいほど前記測光センサ面の中心方向に移動することを特徴とする請求項４に記載のレンズ交換式カメラの測光装置。
【請求項６】
前記各補正式の係数部分は、前記撮影レンズの開放Ｆ値が所定の値より小さい場合には固定値とすることを特徴とする請求項１乃至５のいずれかに記載のレンズ交換式カメラの測光装置。
【請求項７】
前記第１の補正係数は、少なくとも、
外部光源装置からの光を撮影したときに前記測光センサから出力される測光データを測定するステップと、
前記第１の補正式における係数部分へ代入する第１の代入値として様々な値を代入したときの第１の暫定補正値を算出するステップと、
算出された前記第１の暫定補正値のみで補正した第１の暫定測光データを算出するステップと
前記複数の測光領域における前記第１の暫定測光データの標準偏差が最も少なくなる前記第１の代入値を特定するステップと、
特定された前記第１の代入値を前記第１の補正係数として設定するステップと、
から算出されることを特徴とする請求項２乃至６のいずれかに記載のレンズ交換式カメラの測光装置。
【請求項８】
前記第２の補正係数は、少なくとも、
設定された前記第１の補正係数を前記第１の補正式の係数部分に代入したときの第１の補正値を算出するステップと、
前記第２の補正式における係数部分へ代入する第２の代入値として様々な値を代入したときの第２の暫定補正値を算出するステップと、
算出された前記第１の補正値及び前記第２の暫定補正値で補正した第２の暫定測光データを算出するステップと、
前記複数の測光領域における前記第２の暫定測光データの標準偏差が最も少なくなる前記第２の代入値を特定するステップと、
特定された前記第２の代入値を前記第２の補正係数として設定するステップと、
から算出されることを特徴とする請求項７に記載のレンズ交換式カメラの測光装置。
【発明の詳細な説明】
【技術分野】
【０００１】
本発明はレンズ交換式カメラの測光装置に関し、より詳細には、撮影レンズを透過した被写体光を用いて分割測光を行うレンズ交換式カメラの測光装置に関する。
【背景技術】
【０００２】
従来から、カメラによる撮影において、撮影レンズを透過した被写体光の一部を測光センサで受光し、得られた測光データを利用して被写体の適切な露出を得る技術が広く用いられている。測光装置を構成する測光センサは複数に分割された測光領域から成り、各測光領域に対応した被写体光を測光することによって高精度に被写体の露出を算出する、分割測光と呼ばれる技術も普及している。
【０００３】
レンズ交換式のカメラで用いられる測光装置は、撮影レンズを透過しピント板において結像・拡散された被写体光を測光する構成となっている。一般的に、この測光装置は撮影レンズの光軸から偏心した位置に設けられるため、被写体光の照度分布にムラが生じ、その結果、測光センサの実際の出力値はセンサ面受光量に対応した理論的な出力値からの誤差を含んでいた。この問題を解決するために、測光センサの出力誤差を補正する種々の技術が従来より提案されている。
【０００４】
例えば、特許文献１に開示の発明では、撮影レンズを通して被写体の明るさを測光し、露出量を決定するレンズ交換式カメラにおいて、交換レンズの射出瞳に関するデータと開放絞り値に関するデータを交換レンズ内のＲＯＭより読み取り、読み取った射出瞳に関するデータと開放絞り値に関するデータに基づいて測光値の補正値を算出し、この補正値により補正された測光値を用いて露出量を決定するレンズ交換式カメラの測光装置が開示されている。
【０００５】
また、特許文献２に開示の発明では、上記特許文献１が有する問題点である、分割測光領域毎に測光データの補正量を算出するための補正演算時間の増加、算出された各測光データを記憶するためのメモリの大容量化、そして、画面周辺部の測光データに対する補正値増大に伴う信頼性の低下を解決することを目的として、被写界を複数の測光領域に分割し、撮影レンズを透過した被写体光を測光領域ごとに測光して測光データをそれぞれ出力する測光手段と、少なくとも撮影レンズの射出瞳に関する情報と開放絞り値に関する情報とに基づいて、各測光データを補正するための補正値をそれぞれ算出する補正値算出手段と、この補正値算出手段にて算出された補正値に基づいて各測光データが有効か無効かをそれぞれ判別する判別手段と、有効と判別された測光データを、その測光データに対応する補正値によってそれぞれ補正した各値に基づいて露出値を演算する演算手段とを具備したカメラの露出演算装置が開示されている。
【先行技術文献】
【特許文献】
【０００６】
【特許文献１】特開平０１−１００５２３号公報
【０００７】
【特許文献２】特開平０６−１１０１０５号公報
【発明の概要】
【発明が解決しようとする課題】
【０００８】
上記の特許文献２には測光センサ上における照度分布ムラの発生原理が考察されている。その記載によれば、測光誤差の原因となる照度分布ムラは、上下方向の照度分布ムラと同心円状の照度分布ムラとの和であるとされている。
【０００９】
これらの照度分布ムラは、撮影レンズの射出瞳位置により測光センサに届く被写体光の量が変化することに起因して、射出瞳位置が短い場合には長い場合に比べて測光センサ上の照度分布ムラが大きくなる。また、撮影レンズの開放絞り値により測光センサに届く被写体光の量が変化することに起因して、開放絞り値が大きい場合には小さい場合に比べて測光センサに到達する光量が少なくなる。
【００１０】
しかしながら本出願人は、照度分布ムラについて詳細に検証した結果、上記特許文献２では考慮されていなかった測光誤差が発生していることに注目した。この新たな測光誤差は、撮影レンズの開放Ｆ値が所定の値より小さいときに顕著に現れるもので、撮影レンズの開放Ｆ値と測光センサの直前に設けられる測光光学系の物体側、すなわちピント板側の開口数との関係から説明できる。
【００１１】
上述した特許文献１及び特許文献２に開示の補正式ではこの発生要因について考慮されていないため、これらの発明による測光誤差の補正は不十分であった。
【００１２】
また、特許文献２に開示の補正式には対数計算を行う項が含まれているため、補正演算が複雑になり補正処理の高速化に適していなかった。
【００１３】
本発明はこのような状況に鑑みてなされたものであり、測光補正の更なる高精度化と補正処理の高速化を達成したレンズ交換式カメラの測光装置を提供することを目的とする。
【課題を解決するための手段】
【００１４】
上記目的を達成するために、本発明を実施のレンズ交換式カメラの測光装置は、複数の測光領域に分割された被写界を測光し、複数の測光領域の受光量に応じた測光データをそれぞれ出力する測光センサと、撮影レンズを透過してピント板で結像した光を、撮影レンズの光軸外に設けられた測光センサに導く測光光学系と、撮影レンズに固有の開放Ｆ値及び射出瞳位置に応じて補正値を算出する補正演算回路と、測光データ及び補正値から補正後の測光データを算出する測光演算回路と、を有し、補正値を算出する補正演算式は第１の補正式及び第２の補正式からなり、各補正式はそれぞれ距離の関数部分と係数部分との積であり、各係数部分は撮影レンズに固有の開放Ｆ値により異ならせることを特徴とする。
【００１５】
さらに本発明を実施のレンズ交換式カメラの測光装置は、上記発明において、撮影レンズに固有の開放Ｆ値をＦ、固有の射出瞳位置をＰとしたとき、第１の補正式における係数部分及び第２の補正式における係数部分はそれぞれＦ／Ｐの多項式関数であり、各多項式関数は、複数の前記撮影レンズにおいて、撮影レンズと前記測光光学系とから算出される第１の補正係数とＦ／Ｐとのプロットから算出した近似式、及び、撮影レンズと前記測光光学系とから算出される第２の補正係数とＦ／Ｐとのプロットから算出した近似式であることを特徴とする。
【００１６】
さらに本発明を実施のレンズ交換式カメラの測光装置は、上記発明において、第１の補正式における距離の関数部分は、測光センサ面における同心円状の光量ムラの中心である補正原点からの距離の関数であり、第２の補正式における距離の関数部分は、測光センサ面における短辺方向の距離の関数であり、補正原点の位置は、撮影レンズに固有の開放Ｆ値により、少なくとも２つ以上に場合分けすることを特徴とする。
【００１７】
さらに本発明を実施のレンズ交換式カメラの測光装置は、上記発明において、補正原点は、撮影レンズの開放Ｆ値に応じて測光センサ面の短辺方向に移動することを特徴とする。
【００１８】
さらに本発明を実施のレンズ交換式カメラの測光装置は、上記発明において、補正原点は、撮影レンズの開放Ｆ値が小さいほど測光センサ面の中心方向に移動することを特徴とする。
【００１９】
さらに本発明を実施のレンズ交換式カメラの測光装置は、上記発明において、各補正式の係数部分は、撮影レンズの開放Ｆ値が所定の値より小さい場合には固定値とすることを特徴とする。
【００２０】
さらに本発明を実施のレンズ交換式カメラの測光装置は、上記発明において、第１の補正係数は、少なくとも、外部光源装置からの光を撮影したときに前記測光センサから出力される測光データを測定するステップと、第１の補正式における係数部分へ代入する第１の代入値として様々な値を代入したときの第１の暫定補正値を算出するステップと、算出された第１の暫定補正値のみで補正した第１の暫定測光データを算出するステップと複数の測光領域における第１の暫定測光データの標準偏差が最も少なくなる第１の代入値を特定するステップと、特定された第１の代入値を第１の補正係数として設定するステップと、から算出されることを特徴とする。
【００２１】
さらに本発明を実施のレンズ交換式カメラの測光装置は、上記発明において、第２の補正係数は、少なくとも、設定された第１の補正係数を第１の補正式の係数部分に代入したときの第１の補正値を算出するステップと、第２の補正式における係数部分へ代入する第２の代入値として様々な値を代入したときの第２の暫定補正値を算出するステップと、算出された第１の補正値及び第２の暫定補正値で補正した第２の暫定測光データを算出するステップと、複数の測光領域における第２の暫定測光データの標準偏差が最も少なくなる第２の代入値を特定するステップと、特定された第２の代入値を第２の補正係数として設定するステップと、から算出されることを特徴とする。
【発明の効果】
【００２２】
本発明を実施のレンズ交換式カメラの測光装置によれば、測光補正の更なる高精度化と補正処理の高速化を達成することができる。
【図面の簡単な説明】
【００２３】
【図１】本発明の一実施形態であるレンズ交換式カメラの測光装置の主要な構成を示すブロック図である。
【図２】測光センサの７７個のセグメントの配置を示す模式図である。
【図３】センサ面上における照度分布ムラを示す模式図である。
【図４】様々な交換レンズにおける出力誤差と、その交換レンズの開放Ｆ値との関係を示したグラフである。
【図５】一般的なピント板の持つ拡散特性を示したグラフである。
【図６】ピント板と測光センサの位置関係を、ペンタプリズム等を省略して示した模式図である。
【図７】測光光学系の開口数に応じた集光領域と、ピント板透過後の拡散光の広がり具合との関係を示した模式図である。
【図８】いくつかの交換レンズのａ、ｂの値とＦ’／Ｐ’との関係を示したグラフである。
【図９】測光演算ルーチンを示したフローチャートである。
【図１０】補正量ｈ１を算出するためのサブルーチンを示したフローチャートである。
【図１１】補正量ｈ２を算出するためのサブルーチンを示したフローチャートである。
【発明を実施するための形態】
【００２４】
以下、添付の図面に従って、本発明を実施するための最良の形態について説明する。なお、この実施の形態により本発明が限定されるものではない。
【００２５】
図１は、本発明に係るレンズ交換式カメラの測光装置が適用されたレンズ交換式のデジタル一眼レフカメラの主要な構成を示したブロック図である。
【００２６】
このデジタル一眼レフカメラは、図１に示すようにカメラ本体１００及び交換レンズ２００から構成されている。交換レンズ２００は概ね円筒形状を有しており、内部に結像光学系２０１を備えている。
【００２７】
交換レンズ２００の後端部には不図示のレンズ側マウントが設けられている。また、カメラ本体１００の前面には不図示のカメラ側マウントが設けられており、双方のマウントが結合することで交換レンズ２００とカメラ本体１００とが着脱可能に固定される。
【００２８】
交換レンズ２００内には結像光学系２０１の他に、結像光学系２０１の開口量を調節するための絞り羽根を駆動制御する絞り駆動回路２０２と、レンズＣＰＵ２０３が設けられている。このレンズＣＰＵ２０３は、交換レンズ２００に関するレンズデータを格納する不図示のメモリ領域を有している。
【００２９】
格納されるレンズデータとしては、例えば、交換レンズ２００の焦点距離、開放Ｆ値、射出瞳位置、ズーミング及びフォーカシングに関する光学データ等がある。レンズＣＰＵ２０３は必要に応じてこのメモリ領域にアクセスし、必要な情報の読み出し及び書き換えを行う。特に開放Ｆ値及び射出瞳位置については、後述する測光データの補正にも利用される。
【００３０】
レンズＣＰＵ２０３はレンズ側マウント及びカメラ側マウントに設けられた電気接点部を介してカメラ本体１００内のカメラＣＰＵ１０１と電気的に接続されており、上述したレンズデータをカメラ本体１００に送信したり、カメラ本体１００から送られる各種命令を受信し実行する。また、交換レンズ２００は不図示のレンズ駆動機構を有しており、カメラＣＰＵ１０１からの指示により、結像光学系２０１の一部を構成する不図示のフォーカシングレンズを光軸方向に移動させることで被写体に対する合焦動作を行う。
【００３１】
カメラ本体１００内の光軸上にはクイックリターンミラー１０２が設けられており、その上方には撮影者が被写体を確認するためのファインダ光学系が設けられている。また、クイックリターンミラー１０２後方の光軸上には、被写体光を光電変換するＣＣＤ、ＣＭＯＳ等からなる撮像素子１０３が設けられている。撮像素子１０３の前面には、撮像素子１０３の露光時間を調節するためのシャッタ駆動回路１０４が設けられており、カメラＣＰＵ１０１により制御される。
【００３２】
ファインダ光学系は、クイックリターンミラー１０２側から、被写体光の結像面に位置するピント板１０５、入射面、射出面及び複数の反射面を有するペンタプリズム１０６、撮影者がファインダ像を観察するための接眼レンズ１０７、の順番に配置されている。
【００３３】
クイックリターンミラー１０２は、デジタル一眼レフカメラが非撮影状態にあるときは図１に示すような観察位置に位置している。結像光学系２０１を透過してカメラ本体１００内に入射した被写体光は、観察位置にあるクイックリターンミラー１０２によって上方に反射され、ピント板１０５で一次結像する。
【００３４】
ピント板１０５は、一方の面には所定の拡散特性を有するマット面が形成されており、他方の面にはフレネル面が形成されている。ピント板１０５のフレネル面を透過した被写体光は、マット面に結像した後ペンタプリズム１０６に入射する。
【００３５】
被写体光はペンタプリズム１０６内で反射を繰り返すことで倒立像から正立像に変換された後、ペンタプリズム１０６後方の射出面より射出される。撮影者は、この射出面に対向するように配置された接眼レンズ１０７を介して被写体光を観察することで、被写体の確認等を行うことができる。
【００３６】
また、接眼レンズ１０７の上方には、交換レンズ２００の光軸から偏心した位置に測光光学系１０８が設けられている。ピント板１０５で拡散された被写体光の一部が、この測光光学系１０８を介して測光センサ１０９に導かれている。測光センサ１０９は、公知の分割測光を行うために複数の測光領域を有しており、各分割測光領域に導かれる被写体光の照度に応じた測光データを出力する。
【００３７】
本実施例のカメラ本体１００では、図２に示すような７行×１１列に分割された各測光領域に対応する合計７７個のセグメントを有する測光センサ１０９を用いている。各セグメントには１番目から７７番目まで番号を付してある。図２に示した測光センサ１０９は撮影者がファインダから覗いた視野と対応するように描いたものであり、例えば図２の上側がファインダ視野の上側、右側がファインダ視野の右側に対応している。
【００３８】
後述する補正演算において各セグメントを指定するために、センサ面の上端中央に位置するセグメントの座標を（Ｘ，Ｙ）＝（１，１）とし、このセグメントから数えて右に６番目、下に７番目のセグメントの座標を（Ｘ，Ｙ）＝（６，７）とする。また、この測光センサ１０９は各セグメントが左右対称に配置されているため、センサ面中央の列から左側に位置するセグメントを指定する場合も、Ｘ座標はマイナスとせずに２から始めることとし、一番左上のセグメントは（６，１）とする。
【００３９】
さらに、センサ面の中央に位置する１番セグメントを基準セグメントと呼ぶこととする。この基準セグメントの座標は（１，４）となる。
【００４０】
なお、測光センサ１０９と撮影者から見たファインダ視野との関係は上記に限られるものではない。例えば、測光光学系１０８内にプリズムを有する構成とすることにより上下の対応関係が反転する場合が考えられる。また、ソフトウェア的な処理により対応関係を自由にレイアウトすることも可能である。
【００４１】
測光演算部１１０では、測光センサ１０９から出力された測光データに基づいて測光演算や後述する補正演算が行われる。測光演算部１１０には不図示のメモリが設けられており、ここに測光演算及び補正演算に必要な諸データが記憶されている。
【００４２】
撮影者により不図示のレリーズボタンが半押し（１ｓｔレリーズＯＮ）されると、測光演算部１１０による測光演算結果に基づいて露出演算が行われるとともに、不図示の焦点検出部による焦点演算に基づいて交換レンズ２００内のフォーカスレンズの駆動が行われ、撮影準備が整う。
【００４３】
続けて撮影者によりレリーズボタンが全押し（２ｎｄレリーズＯＮ）されると、クイックリターンミラー１０２は観察位置からミラーアップされて退避位置に移動される。また、カメラＣＰＵ１０１は、レンズＣＰＵ２０３を介して交換レンズ２００内の絞り駆動回路２０２を所定のステップ数だけ絞り羽根を絞るよう制御し、さらに、シャッタ駆動回路１０４を所定のシャッタスピードに対応する露光量だけ撮像素子１０３が露光するように制御する。
【００４４】
シャッタ幕の走査により所定の時間だけ露光された撮像素子１０３は、被写体光を電子データに変換し取得することで撮像処理が完了する。
【００４５】
撮像素子１０３で取得された被写体像は、不図示の信号処理回路において所定の画像処理及び記録フォーマットの変換処理等が施され、画像データとしてメモリーカード等の不図示の外部メモリ装置に記録される。また画像データは、カメラ本体１００の背面に設けられたＬＣＤや有機ＥＬ等からなる不図示の表示部に送られ、これにより撮影者は自分が撮影した画像を確認することができる。カメラ本体１００が所謂ライブビュー対応のカメラであった場合には、この表示部に撮像素子１０３で得られた被写体のライブビュー画像を表示することも可能である。
【００４６】
上述した特許文献２にも開示されているように、レンズ交換式のカメラに設けられる測光センサ１０９は、一般的に交換レンズ２００の光軸から偏心した位置に設けられており、そこで測光センサ１０９はピント板１０５により拡散された被写体光を受光する。このことに起因して測光センサ１０９上の照度分布にはムラが発生することになる。
【００４７】
この照度分布ムラは、カメラで輝度箱等の外部光源装置を観察した場合に図３ａに示すような同心円状のムラと上下方向のムラを組み合わせたものとして現れることが知られている。
【００４８】
従って、これらの照度分布ムラを補正するための補正量ｈは、同心円状のムラに対する補正量ｈ１と上下方向のムラとに対する補正量ｈ２とを用いて、
ｈ＝ｈ１＋ｈ２      ・・・（１）
と表すことができる。その結果、測光センサ１０９からの補正前の測光データＩと補正後の測光データＩ’との間の関係は、
Ｉ’＝Ｉ−ｈ１−ｈ２      ・・・（２）
と表すことができる。７７個の各セグメントにおいて、これらの関係が成り立っている。
【００４９】
同心円状のムラは、文字通りある点を中心にしてそこから離れるほど照度が低下するムラであり、センサ面におけるムラの中心からの距離の関数であるといえる。このため、このムラを補正するための補正量ｈ１は、補正対象のセグメント（Ｘ，Ｙ）から同心円状のムラの中心に対応する補正原点セグメント（Ｘｏ，Ｙｏ）までの距離をｒとし、この補正原点セグメント（Ｘｏ，Ｙｏ）から上述した基準セグメント（１，４）までの距離をｒｏとしたときに、
ｈ１＝ａ＊（ｒ２−ｒｏ２）      ・・・（３）
と表すことができる。
【００５０】
距離ｒ及びｒｏはさらに以下のように計算される。
ｒ＝√（（Ｘ−Ｘｏ）２＋（Ｙ−Ｙｏ）２）      ・・・（４）
ｒｏ＝√（（１−Ｘｏ）２＋（４−Ｙｏ）２）      ・・・（５）
【００５１】
この補正式ｈ１の係数部分にあたる係数ａについては後述する。
【００５２】
同様に、上下方向のムラはセンサ面における短辺方向（Ｙ方向）の距離の関数といえるから、このムラを補正するための補正量ｈ２は、補正対象のセグメント（Ｘ，Ｙ）から基準セグメント（１，４）までのＹ方向の距離の関数として、
ｈ２＝ｂ＊（Ｙ−４）      ・・・（６）
と表すことができる。
【００５３】
この補正式ｈ２の係数部分にあたる係数ｂについては後述する。
【００５４】
なお、本実施例では上記の如く補正量ｈ１を距離の２乗の関数、補正量ｈ２を距離の１乗の関数としたが、これに限られるものではない。補正演算に求められる精度に応じて最適と思われる次数を選択することができる。
【００５５】
ここで、交換レンズ２００を開放Ｆ値のより小さいものに交換すると、センサ面における照度分布ムラは図３ａに示すような分布から図３ｂに示すような分布に変化した。すなわち、カメラ本体１００に装着する交換レンズ２００の開放Ｆ値に応じて、照度分布ムラの中心が移動することが確認された。
【００５６】
本実施例の構成においては、１．４＜Ｆでは概ねセンサ面の上端中央付近にあったムラの中心が、交換レンズ２００の開放Ｆ値が小さくなるに従ってセンサ面の中央付近に移動していた。そこで本出願人は、より高精度の補正と計算の簡便化を目的として、１．４＜Ｆでは（１，１）に位置するセグメントを補正原点セグメントとして設定し、Ｆ≦１．４では（１，４）に位置するセグメントを補正原点セグメントとして設定することとした。このように場合分けすることにより、係数ａをより適切に算出でき高精度な補正が可能となる。
【００５７】
このムラ中心の移動については後述する。
【００５８】
本発明に係る測光装置により算出される補正量とは、すなわち測光センサ１０９から出力される測光データの理論的な出力値と実際に測定される出力値との間の誤差に他ならない。この出力誤差は、例えば以下の如く求めることができる。
【００５９】
まず、基準とする交換レンズ２００を装着したカメラ本体１００を用いて輝度箱で異なる輝度の光を撮影し、測光センサ１０９内の１番セグメントからの出力値を得る。これにより、測光センサ１０９の出力特性、すなわち１ＥＶ毎の出力値の変化量が求められる。本実施例では、基準レンズとして焦点距離５０ｍｍ、開放Ｆ値２．８、射出瞳位置７２の交換レンズ２００を用いることとする。
【００６０】
次に、例えば開放Ｆ値Ｆ２．０の明るい交換レンズ２００を装着し、輝度箱の光（例えば１２ＥＶ）を撮影した際の出力値を得る。開放Ｆ値がＦ２．８のレンズとＦ２．０のレンズとでは、測光センサ１０９のセンサ面における輝度差は理論的にはちょうど１ＥＶとなるはずである。しかしながら、実際にはいくつかの要因により照度分布ムラが発生するため、基準レンズでの測定値からの変化量が１ＥＶに満たない出力値が測定される。
【００６１】
このとき得られる実測値と理論値との差分が補正すべき誤差量である。開放Ｆ値Ｆ２．０以外の開放Ｆ値を持つ様々な交換レンズ２００においても、同様に理論値との間の誤差量を求めることができる。
【００６２】
図４は、様々な交換レンズ２００において、出力誤差とその交換レンズ２００に固有の開放Ｆ値との関係を示したグラフである。このグラフから明らかなように、Ｆ２．８付近を境にして開放Ｆ値に対する出力誤差が大きくなっていることがわかる。以降では、この特性の変化について考察する。
【００６３】
交換レンズ２００はそれぞれ固有の開放Ｆ値を持っており、また、カメラ本体１００内に設けられるピント板１０５はそれぞれ固有の拡散特性を持っている。一般的なピント板１０５の持つ拡散特性をグラフに表すと図５のようになる。図５において、横軸はピント板１０５に入射した光が直進して透過する方向に対する拡散光の角度、縦軸は拡散光の相対強度である。
【００６４】
このような拡散特性を持つピント板１０５に入射する光の入射角度の広がりは交換レンズ２００の開放Ｆ値に依存することになる。
【００６５】
図６はピント板１０５と測光センサ１０９の位置関係を、それらの間に位置するペンタプリズム１０６等を省略して示した模式図である。この図では、ピント板１０５の中心に入射した光の拡散具合を示しており、特に測光センサ１０９の方向に進む光が、交換レンズ２００の開放Ｆ値に応じてどのように変化するかを示したものである。また、光線を表す矢印の太さ及び長さで矢印の方向に進む光の量を示している。
【００６６】
開放Ｆ値が小さな明るい交換レンズ２００の場合には、図６ａに示すように、光は大きい角度でピント板１０５に入射するため、ピント板１０５後方の偏心した位置に設けられた測光センサ１０９には入射光の拡散成分よりも直進成分を多く含んだ十分な光量が到達することができる。
【００６７】
一方、開放Ｆ値が大きな暗い交換レンズ２００の場合には、図６ｂに示すように、光は小さい角度でピント板１０５に入射するため、測光センサ１０９の方向に進む光には入射光の直進成分はほとんど含まれておらず、ほぼ拡散成分のみから成る少量の光量が到達することになる。これにより、測光センサ１０９に導かれる光量は交換レンズ２００の開放Ｆ値に依存することになる。
【００６８】
この他にも、測光センサ１０９への光量ムラの要因として、交換レンズ２００の射出瞳位置や測光光学系１０８の位置、クイックリターンミラー１０２における被写体光のケラレ等が知られている。
【００６９】
ここで本出願人は、図４に示した誤差量の急激な変化を説明するために測光光学系１０８に注目した。一般にレンズ系の明るさを表す数値として開口数が定義できるが、これは測光センサ１０９に拡散光を導く測光光学系１０８についても同様である。そのため、ピント板１０５から様々な方向に放射される拡散光の中で測光光学系１０８が集光できる領域（範囲）には限りがあることになる。
【００７０】
図７は、ピント板１０５の中心から測光光学系１０８の方向を見たときの模式図であり、測光光学系１０８の集光領域と、測光光学系１０８の方向に広がる拡散光との大小関係を模式的に示している。測光光学系１０８の集光領域内に収まる拡散光のみが、測光光学系１０８により測光センサ１０９に導かれることになる。
【００７１】
交換レンズ２００の開放Ｆ値が大きいときは、ピント板１０５透過後の拡散光はあまり広がらないため、図７ａに示したように測光光学系１０８の集光領域内に拡散光が全て収まり測光センサ１０９に導かれる。この場合には、交換レンズ２００の開放Ｆ値の変化に比例して測光センサ１０９の受光する光量も変化し、その結果、測光センサ１０９から出力される測光データも比例的に変化することになる。
【００７２】
一方、交換レンズ２００の開放Ｆ値が小さいときは拡散光が大きく広がるため、図７ｃに示したように拡散光は測光光学系１０８の集光領域を越えて分布する。この場合には、測光光学系１０８では集光しきれない領域、すなわちケラレが生じるため、測光センサ１０９は実際の値よりも少ない光量しか受光することができない。集光におけるこのケラレは交換レンズ２００の開放Ｆ値が小さくなるほど顕著になるため、ケラレにより生じる誤差も開放Ｆ値が小さくなるほど増すことになる。
【００７３】
また図７ｂは、測光光学系１０８の集光領域の大きさとピント板１０５透過後の拡散光の広がりとが概ね一致する状態を示したものである。従って、このときの開放Ｆ値よりも暗い交換レンズ２００ではケラレによる誤差は発生していないが、この開放Ｆ値よりも明るい交換レンズ２００ほどケラレによる誤差量が大きくなっていくことになる。
【００７４】
以上の説明を図４に示した出力誤差のグラフと対応させると、本実施例の構成では、特性変化の境界値となる開放Ｆ値はＦ２．８であることがわかる。そして、この特性変化に対応するため、補正量の算出においては境界値となる開放Ｆ値において場合分けを行う必要があることがわかる。
【００７５】
なお、この境界値となる開放Ｆ値は、ピント板１０５の拡散特性や測光光学系１０８の開口数、測光光学系１０８と光軸との間の偏心量等の要因で決まると考えられる。
【００７６】
ここで、上述した、交換レンズ２００の開放Ｆ値により照度分布ムラの中心がセンサ面の短辺方向に移動する現象について定性的に説明する。
【００７７】
測光センサ１０９には測光光学系１０８により集光された拡散光が導かれている。この拡散光はピント板１０５のマット面で拡散されたものであるが、図６にも示したようにこの拡散の度合いはピント板１０５に入射する入射光の角度に影響され、入射角度の広がりが大きいほど拡散の程度も大きくなる。
【００７８】
開放Ｆ値の小さい交換レンズ２００では、ピント板１０５上で入射光は十分に大きく拡散されることになる。この場合、測光光学系１０８の集光領域には入射光の直進成分だけでなくピント板１０５の様々な位置で拡散された拡散光も多く含まれることになるため、測光センサ１０９にはピント板１０５全体から拡散光が到達することになる。その結果、照度分布ムラの中心は図３ｂに示すように概ねセンサ面の中央に位置する。
【００７９】
一方、開放Ｆ値の大きい交換レンズ２００では、ピント板１０５に入射した光はあまり拡散することなく、ほぼ直進成分のみの拡散光となってピント板１０５を透過する。この場合、偏心した位置に設けられた測光光学系１０８から遠い位置のピント板１０５上で拡散された光は集光領域に到達することができない。
【００８０】
そのため、この集光領域には測光光学系１０８に近い位置のピント板１０５上で拡散された拡散光が多く到達することになる。その結果、照度分布ムラの中心は、図３ａに示すようにセンサ面の中央から短辺方向に偏心して位置することになる。
【００８１】
以上の理由から、測光センサ１０９の偏心により交換レンズ２００の光軸とは反対側に偏心していた照度分布ムラの中心が、開放Ｆ値の小さい交換レンズ２００を用いるほど、測光センサ１０９のセンサ面、すなわちファインダ視野の中央方向に移動することになる。
【００８２】
なお、このムラ中心の移動に伴う補正原点の場合分けを、本実施例では上述したようにＦ１．４としているが、これに限られるものではない。ムラ中心の移動特性は、ピント板１０５の拡散特性や、測光光学系１０８と光軸との間の偏心量等に応じて変化するものと考えられるから、それらに応じて適宜最適な開放Ｆ値を設定することができる。
【００８３】
次に、上述したケラレによる影響を踏まえた測光データの補正を行うために、各補正式の係数部分ａ、ｂを定式化する。
【００８４】
上述した特許文献２等にも開示されているように、測光センサ１０９のセンサ面において生じる照度分布ムラは、装着する交換レンズ２００の開放Ｆ値と射出瞳位置に応じて変化する。すなわち、開放Ｆ値Ｆが大きくなるとセンサ面に届く被写体光量が低下し、開放Ｆ値Ｆが小さくなると光量が増加し、射出瞳位置Ｐが小さくなると測光センサ１０９のセンサ面内の位置の違いによる照度分布ムラが大きくなる。従って、上述した補正量のそれぞれの係数ａ、ｂは共にＦ／Ｐの関数と見なすことができる。
【００８５】
まず本出願人は、本実施例のカメラ本体１００に様々な交換レンズ２００を装着したときのａ、ｂの値を算出した。以下に、ａ、ｂの具体的な算出方法について説明する。
【００８６】
まず、上述した基準レンズを装着したカメラ本体１００で外部光源装置である輝度箱を撮影したときの測光センサ１０９の全てのセグメントから出力される測光データを測定する。次に、係数ａに様々な値を代入したときの補正量ｈ１を補正式（３）から算出し、この補正量ｈ１のみを用いて補正した各セグメントにおける暫定的な測光データを得る。
【００８７】
本補正によって、各セグメントにおける補正後の測光データを均一な値とすることが目的であるから、補正後の測光データの標準偏差が最も少なくなるときのａの代入値を基準レンズに固有のａとする。
【００８８】
また、ｂの値は、上で得られたａの値を用いて算出する。まず、得られたａの値を使って補正量ｈ１を補正式（３）から算出する。次に、係数ｂに様々な値を代入したときの補正量ｈ２を補正式（６）から算出する。そして、得られた補正量ｈ１とｈ２を用いて補正式（２）から補正した各セグメントにおける暫定的な測光データを得る。
【００８９】
ａを求めたときと同様に、各セグメントにおける補正後の測光データの標準偏差が最も少なくなるときのｂの代入値を基準レンズに固有のｂとする。
【００９０】
以上の手順を異なる交換レンズ２００に対して行うことで、様々な交換レンズ２００の持つａ、ｂの値が求められる。
【００９１】
各交換レンズ２００に固有の開放Ｆ値と射出瞳位置からＦ／Ｐが求められるので、算出したａ、ｂの値とＦ／Ｐとをそれぞれグラフにプロットする。いくつかの交換レンズ２００について、ａとＦ／Ｐとの関係を実際にプロットしたものを図８ａに、ｂとＦ／Ｐとの関係を実際にプロットしたものを図８ｂに示す。
【００９２】
なお、横軸は上述した基準レンズを用いて正規化を行っており、Ｆ’＝Ｆ/２．８、Ｐ’＝Ｐ/７２である。
【００９３】
上述したように、本実施例の測光装置は開放Ｆ値Ｆ２．８の前後でケラレの有無が生じるので、Ｆ２．８で場合分けを行って補正値算出に用いる係数ａ、ｂを異ならせる必要がある。まず、開放Ｆ値がＦ２．８以上の交換レンズ２００に用いる係数ａ、ｂの関数を求める。
【００９４】
上で得られた各プロットにおいて、Ｆ２．８未満のものを無視した残りのプロットから多項式近似により関数を求める。本実施例では、ａについては２次関数で近似し、ｂについては１次関数で近似することとし、それぞれ以下の関数が得られた。
ａ＝ｓ＊（Ｆ’／Ｐ’）２＋ｔ＊（Ｆ’／Ｐ’）＋ｕ      ・・・（５）
ｂ＝ｖ＊（Ｆ’／Ｐ’）＋ｗ      ・・・（６）
【００９５】
そして、各係数ｓ、ｔ、ｕ、ｖ、ｗの値は以下の通りであった。
ｓ＝０．２９
ｔ＝０．７５
ｕ＝１．０５
ｖ＝１．６６
ｗ＝−１．４２
【００９６】
従って、開放Ｆ値がＦ２．８以上の交換レンズ２００に対しては、上で得られた関数ａ、ｂを用いて補正量ｈ１、ｈ２を求めることとする。そのために、これらの関数を測光演算部１１０内のメモリに記憶する。
【００９７】
なお、上記ではａを２次関数、ｂを１次関数として近似したが、これに限られるものではない。プロットの数や広がり、求められる精度に応じて最適と思われる次数を選択することができる。
【００９８】
次に、開放Ｆ値がＦ２．８未満の明るい交換レンズ２００を装着した場合について考える。上述した開放Ｆ値Ｆ２．８以上の場合と同様に、Ｆ２．８未満についても該当するプロットから近似した関数を求めることができる。
【００９９】
ところで、開放Ｆ値の小さな、特にＦ２．８未満の明るい交換レンズ２００を実現するには、マウント形状の制約や求められる光学性能（収差、周辺光量低下）が高いこと、さらにはコストの面で高度なバランスが求められることになる。そのため、開放Ｆ値がＦ２．８未満の交換レンズ２００の種類はあまり多くない。
【０１００】
開放Ｆ値がＦ２．８未満の交換レンズ２００の種類が少ないということは、これらの交換レンズ２００に対する測光補正に用いる係数ａ、ｂの関数を近似するためのプロット数が少ないということであり、満足な精度の関数が得られない。そこで本発明に係る測光装置では、Ｆ２．８未満の交換レンズ２００を装着したときの各補正式の係数ａ、ｂを関数ではなく固定値で代用することとした。
【０１０１】
具体的には、Ｆ２．８未満の開放Ｆ値を持つ交換レンズ２００を装着して得られたａ、ｂの値から、その交換レンズ２００の開放Ｆ値毎の平均値を算出する。そして、これらの平均値を各開放Ｆ値に対する係数ａ、ｂとして採用した。
【０１０２】
本実施例では開放Ｆ値がＦ２．８未満の交換レンズ２００としてＦ１．４とＦ１．８のものを想定しており、Ｆ１．８以下の開放Ｆ値を持つ交換レンズ２００に対しては各補正式の係数ａ、ｂを固定値とすることになる。
【０１０３】
開放Ｆ値Ｆ１．４に対する各係数は、開放Ｆ値がＦ１．４の交換レンズ２００から算出したａ、ｂの値の平均値を採用し、以下の値が得られた。
ａ＝１．６、ｂ＝５．０
【０１０４】
また、開放Ｆ値Ｆ１．８に対する各係数は、開放Ｆ値がＦ１．８の交換レンズ２００から算出したａ、ｂの値の平均値を採用し、以下の値が得られた。
ａ＝１．８、ｂ＝−０．９
【０１０５】
従って、開放Ｆ値がＦ２．８未満の交換レンズ２００に対しては、上で得られた固定値のａ、ｂを用いて補正量ｈ１、ｈ２を求めることとする。そのために、これらの関数及び値を測光演算部１１０内のメモリに記憶する。
【０１０６】
なお、開放Ｆ値がＦ２．８未満の交換レンズ２００としてＦ１．４及びＦ１．８以外のレンズも想定した場合には、それらのレンズの持つ開放Ｆ値毎に固定値である係数ａ、ｂをそれぞれ求めることになる。また、開放Ｆ値がＦ２．８未満の交換レンズ２００の種類が十分に増えた場合には、Ｆ２．８以下のときと同様に、プロットから関数ａ、ｂを求めてもよい。
【０１０７】
上述したように、所定の開放Ｆ値による場合分けの前後では、開放Ｆ値が小さいほどケラレの影響による誤差量が増加する。この誤差を適正に補正するために、補正式に用いられる係数ａ、ｂの値は、場合分けの前後において開放Ｆ値が小さいほど小さくなることがわかる。
【０１０８】
次に、本発明に係る測光装置における補正演算の流れについて説明する。図９は、本発明に係るレンズ交換式カメラの測光装置で行われる測光演算ルーチンを示したフローチャートの一例である。以下のフローチャートでは、上で想定したように開放Ｆ値がＦ２．８未満の交換レンズ２００としてＦ１．４のものとＦ１．８のものがあるとして説明を行う。
【０１０９】
撮影者により不図示のレリーズボタンが半押し（１ｓｔレリーズＯＮ）され、被写体の測光演算が開始されると、ステップＳ００１において測光センサ１０９内の各セグメントから被写体の輝度に応じた測光データがそれぞれ出力される。
【０１１０】
出力された各測光データは測光演算部１１０に送られ、ステップＳ００２において補正量ｈ１算出のサブルーチンが実行され、続いてステップＳ００３において補正量ｈ２算出のサブルーチンが実行される。
【０１１１】
各サブルーチンで補正量ｈ１及びｈ２が得られると、ステップＳ００４において測光演算部１１０は補正後の測光データＩ’を算出する。
【０１１２】
測光データの補正が完了すると、このデータを利用して公知の露出演算が行われ、撮影条件が決定される。
【０１１３】
図１０は上述した図９のステップＳ００２である補正量ｈ１を算出するためのサブルーチンを示したフローチャートの一例である。このサブルーチンが開始されると、まずステップＳ１０１において測光演算部１１０はカメラ本体１００に装着されている交換レンズ２００の開放Ｆ値がＦ１．８より大きいかどうかを判断する。開放Ｆ値ＦがＦ１．８より大きい場合にはステップＳ１０２に進み、Ｆ１．８以下である場合にはステップＳ１０６に進む。
【０１１４】
開放Ｆ値がＦ１．８より大きい場合にはステップＳ１０２において、測光演算部１１０は補正原点セグメント（Ｘｏ，Ｙｏ）の座標を（１，１）に設定する。これは、上述した照度分布ムラ中心の交換レンズ２００の開放Ｆ値による移動を補正演算に加味するためである。
【０１１５】
次に測光演算部１１０はステップＳ１０３において、内部メモリにあらかじめ記憶しておいた係数ａの関数を読み出し、装着されている交換レンズ２００の開放Ｆ値及び射出瞳位置を用いて係数ａの値を求め、この値を設定する。
【０１１６】
係数ａの値が設定されると、続いてステップＳ１０４において、測光演算部１１０は設定された係数ａの値を用いて各セグメントの位置に応じた補正量ｈ１を算出し、さらにステップＳ１０５において、算出した各セグメントの補正量ｈ１を測光演算部１１０の内部メモリに保存する。
【０１１７】
次に、ステップＳ１０１において開放Ｆ値がＦ１．８以下であると判断した場合にはステップＳ１０６に進み、そこで測光演算部１１０は開放Ｆ値がＦ１．４より大きいかどうかを判断する。開放Ｆ値がこの範囲内にある場合にはステップＳ１０７に進み、この範囲外である場合にはステップＳ１０９に進む。
【０１１８】
開放Ｆ値がこの範囲内にある場合にはステップＳ１０７において、測光演算部１１０は補正原点セグメント（Ｘｏ，Ｙｏ）の座標を（１，１）に設定する。
【０１１９】
次に測光演算部１１０はステップＳ１０８において、内部メモリにあらかじめ記憶しておいた係数ａの固定値としてａ＝１．８を読み出し、設定する。
【０１２０】
係数ａの値が設定されると、続いてステップＳ１０４において、測光演算部１１０は設定された係数ａの値を用いて各セグメントの位置に応じた補正量ｈ１を算出し、さらにステップＳ１０５において、算出した各セグメントの補正量ｈ１を測光演算部１１０の内部メモリに保存する。
【０１２１】
次に、ステップＳ１０６において開放Ｆ値がこの範囲外、すなわちＦ１．４以下であると判断した場合にはステップＳ１０９に進み、そこで測光演算部１１０は補正原点セグメント（Ｘｏ，Ｙｏ）の座標を（１，４）に設定する。
【０１２２】
次に測光演算部１１０はステップＳ１１０において、内部メモリにあらかじめ記憶しておいた係数ａの固定値としてａ＝１．６を読み出し、設定する。
【０１２３】
係数ａの値が設定されると、続いてステップＳ１０４において、測光演算部１１０は設定された係数ａの値を用いて各セグメントの位置に応じた補正量ｈ１を算出し、さらにステップＳ１０５において、算出した各セグメントの補正量ｈ１を測光演算部１１０の内部メモリに保存する。
【０１２４】
ステップＳ１０５が終了すると本サブルーチンは終了し、図９に示した測光演算ルーチンに戻る。
【０１２５】
図１１は上述した図９のステップＳ００３である補正量ｈ２を算出するためのサブルーチンを示したフローチャートの一例である。このサブルーチンが開始されると、まずステップＳ２０１において測光演算部１１０はカメラ本体１００に装着されている交換レンズ２００の開放Ｆ値がＦ１．８より大きいかどうかを判断する。開放Ｆ値がＦ１．８より大きい場合にはステップＳ２０２に進み、Ｆ１．８以下である場合にはステップＳ２０５に進む。
【０１２６】
開放Ｆ値がＦ１．８より大きい場合にはステップＳ２０２において、測光演算部１１０は内部メモリにあらかじめ記憶しておいた係数ｂの関数を読み出し、装着されている交換レンズ２００の開放Ｆ値及び射出瞳位置を用いて読み出した関数から係数ｂの値を求め、この値を設定する。
【０１２７】
係数ｂの値が設定されると、続いてステップＳ２０３において、測光演算部１１０は設定された係数ｂの値を用いて各セグメントの位置に応じた補正量ｈ２を算出し、さらにステップＳ２０４において、算出した各セグメントの補正量ｈ２を測光演算部１１０の内部メモリに保存する。
【０１２８】
次に、ステップＳ２０１において開放Ｆ値がＦ１．８以下であると判断した場合にはステップＳ２０５に進み、そこで測光演算部１１０は開放Ｆ値がＦ１．４より大きいかどうかを判断する。開放Ｆ値がこの範囲内にある場合にはステップＳ２０６に進み、この範囲外である場合にはステップＳ２０７に進む。
【０１２９】
開放Ｆ値がこの範囲内にある場合にはステップＳ２０６において、測光演算部１１０は内部メモリにあらかじめ記憶しておいた係数ｂの固定値としてｂ＝−０．９を読み出し、設定する。
【０１３０】
係数ｂの値が設定されると、続いてステップＳ２０３において、測光演算部１１０は設定された係数ｂの値を用いて各セグメントの位置に応じた補正量ｈ２を算出し、さらにステップＳ２０４において、算出した各セグメントの補正量ｈ２を測光演算部１１０の内部メモリに保存する。
【０１３１】
次に、ステップＳ２０５において開放Ｆ値がこの範囲外、すなわちＦ１．４以下であると判断した場合にはステップＳ２０７に進み、そこで測光演算部１１０は内部メモリにあらかじめ記憶しておいた係数ｂの固定値としてｂ＝５．０を読み出し、設定する。
【０１３２】
係数ｂの値が設定されると、続いてステップＳ２０３において、測光演算部１１０は設定された係数ｂの値を用いて各セグメントの位置に応じた補正量ｈ２を算出し、さらにステップＳ２０４において、算出した各セグメントの補正量ｈ２を測光演算部１１０の内部メモリに保存する。
【０１３３】
ステップＳ２０４が終了すると本サブルーチンは終了し、図９に示した測光演算ルーチンに戻る。
【０１３４】
上述した実施例では測光光学系１０８は接眼レンズ１０７の上方に設けられているが、交換レンズ２００の光軸から偏心されていればどこでもよい。例えば、測光光学系１０８を交換レンズ２００の光軸と接眼レンズ１０７との間のスペースに設けることも可能である。
【０１３５】
その場合には、開放Ｆ値が大きい交換レンズ２００では照度分布ムラの中心は図３ａに示した分布とは反対となり、センサ面の上端中央付近に位置することになる。そして、交換レンズ２００の開放Ｆ値が小さくなるのに応じて、このムラ中心はセンサ面の中央に移動してくることになる。
【０１３６】
上述してきたように本実施例では開放Ｆ値がＦ２．８未満の交換レンズに対しては、補正式の各係数を固定値とした。しかしながら、これよりも明るい交換レンズの種類が増えれば、Ｆ２．８未満のレンズに対しても補正式の各係数をＦ／Ｐの関数で定義することができる。同様に、開放Ｆ値がＦ２．８以上の暗いレンズについても、種類が増えることで各係数の関数の精度が向上することは明らかである。
【０１３７】
つまり、本願発明の特徴は、適正露出を得るための測光補正に用いる補正式において、ピント板における拡散により所定の開放Ｆ値（本実施例ではＦ２．８）で場合分けが必要となることを解明した点にある。
【符号の説明】
【０１３８】
１００    カメラ本体
１０１    カメラＣＰＵ
１０２    クイックリターンミラー
１０３    撮像素子
１０４    シャッタ駆動回路
１０５    ピント板
１０６    ペンタプリズム
１０７    接眼レンズ
１０８    測光光学系
１０９    測光センサ
１１０    測光演算部
２００    交換レンズ
２０１    結像光学系
２０２    絞り駆動回路
２０３    レンズＣＰＵ
【図１】
0005763415.tif 000002
【図２】
0005763415.tif 000003
【図３】
0005763415.tif 000004
【図４】
0005763415.tif 000005
【図５】
0005763415.tif 000006
【図６】
0005763415.tif 000007
【図８】
0005763415.tif 000008
【図９】
0005763415.tif 000009
【図１０】
0005763415.tif 000010
【図１１】
0005763415.tif 000011
【図７】
0005763415.tif 000012